(57)【要約】【課題】従来、チャック袋、袋、包装容器に移出口は付いていなかった。従って内容物は開口部やチャック部から出しにくく汚れも付いて不衛生だった。折り出し込み可動の山形タグを開口部内側に設け、タグ山部を折り出し使用すれば開口部、チャック部の凹凸面を無接触通過でき、汚すことなく円滑に内容物移出できる。再保存時は山部を折り込む。清潔反復使用が長期保持でき、密封性、防湿性機能の劣化もなく、平易使用できる「山形タグを移出入口とした包装容器」を提供する。【解決手段】チャック袋、袋、包装容器の開口部内側近傍に紙やプラスチックの可撓材料でできた山形タグの裾部を固着、山部は無接着にして開口部より折り出し入れ可動にし、折り出し時山頂部が開口部より突出するようにした。開口部やチャック部を汚すことなく円滑に内容物を移出できるタグが注ぎ出しのパレットとなることを特徴とする。【選択図】図１
2008037499.tif 000002
【特許請求の範囲】
【請求項１】
包装容器の開口部内側近傍に可撓材料でできた山形タグの裾部を固着、山部は無接着にして開口部より折り出し入れ可動にし、折り出した時山頂部が開口部より突出することを特徴とした円滑移出入口付き包装容器。
【発明の詳細な説明】
【技術分野】
【０００１】
本発明はチャック袋、袋、包装容器の開口部内側近傍に可撓材料でできた山形タグの裾部を固着、山部は無接着にして開口部より折り出し入れ可動にし、折り出した時山頂部が開口部より突出するようにした。以上の構成よりなる山形タグを袋、包装容器の移出入口とした移出入口の付いた包装容器に関するものである。
【背景技術】
【０００２】
従来のチャック袋や袋、包装容器は内容物品質保持のため防湿性、密封性を重視し包装材の材質や厚さを替えてバリア性、強度性を高度化した物、チャック部の密封性を強化した物、チャック部を色付けし、開口部にも溝を付けて開閉使用平易にしたもの（旭化成ストックバッグシリーズ）があった。これらは輸送、収納、陳列等、内容物不使用時の品質高管理を重視した物だった。
【０００３】
こうした従来のチャック袋、袋、包装容器においては内容物使用時の円滑な注ぎ出し、注ぎ入れができる移出口、移入口が付いていなかった。消費者購入後のチャック袋、袋、包装容器からの内容物使用時、反復使用時、開封後保存時の円滑使用、平易使用、衛生的使用の工夫や配慮もなされていなかった。
【０００４】
以上の問題解決に向けた関連発明に以下のような文献がある。
【特許文献１】実用新案平６−５９２３７
【特許文献２】特許平９−７７０９７
【特許文献３】実用新案平７−３３８５８
【特許文献４】特許開２００６−４４７８６
【特許文献５】特許開２００５−２４７４１７
【特許文献６】実用新案第３０８２８６０号
【特許文献７】特許公開２００４−１５５４４６
【特許文献８】特許平１１−５０６９９４
【特許文献９】特許平１１−５０７３１３
【発明の開示】
【発明が解決しようとする課題】
【０００５】
従来のチャック袋、袋は内容物品質保持のため高防湿性、高密封性の効果大を重視し包装材の厚さ替え、材質替えをしてバリア性、強度性を高度化したものやチャック部の耐反復開閉の為材質を強化した物、複数にした物や開閉平易の為チャック部を色付けした物、袋口幅同長にした物、開口部に溝を付けた物があった。これらは輸送、収納、陳列等内容物不使用時での品質保持を重視した物だった。すなわち消費者購入後の使用時についての円滑使用、平易使用、清潔使用、反復使用の事には配慮が欠けていた。以下に例を挙げてみる。（イ）従来のチャック袋から食品や洗剤、薬品を取り出す時チャック部や開口部の形状が不安定な為粉物や、顆粒、粘液体の内容物が上手く注ぎ出せなかった。（ロ）チャック袋から他所、他容器への移し替えもチャック部、開口部の形状が不安定でずれてしまい粉物や顆粒はこぼれ出てしまうことが多く裁縫や工作で使われるビーズや微細物も集約しにくく、粘液体も注ぎ垂れが多く後始末が大変だった。（ハ）ふりかけ、小麦粉、黄な粉の粉物食品を出す時、開口部やチャック部から上手く出せないのに併せてチャック部の凹凸面に内容物が付着し、何度も反復して使用した場合は開口部、チャック部に汚れとなって付着したままとなり湿気を帯びやすく、菌が付きやすく不衛生だった。又、チャック部の凹凸面に汚れが付いたことによりチャックテープの雄雌咬み合わせが不十分となり密封機能も低下してしまった。（ニ）アルミパックやプラスチック袋に入っているサプリメントや薬は必要量出そうとしても出しすぎ、こぼれ出しが多かった。（ホ）新しいチャック袋（ストックバッグ）でカレーやシチューのルゥ、手作りジャムの粘液体や含汁の煮物を保存する場合スプーンやお玉で入れるがチャック部や開口部に汚れが付きやすく、後で拭き取り洗浄の手間がかかった。粉物、微細物に関しても同様である。（へ）チャックのない袋に関しても調味料や小エビの内容物必要量注ぎだしは袋口の形状が不安定で出しすぎや目的外所になってしまう事が多かった。（ト）缶や瓶からの注ぎ出しもスプーンや台所器具が手元にない場合直接内容物を移出しようとすると固定された開口部の弓形、直線形からの必要量の注ぎ出しは困難で上手く出せなかった。本発明は以上のような消費者購入後のチャック袋、袋、包装容器の使用時、反復使用時の問題を円滑使用、平易使用、衛生的使用へ向上させる為、開口部やチャック部を汚すことなく衛生的に使用でき、密封機能を保持し内容物を円滑に注ぎ出し入れ出来る事を目的とする。
【課題を解決するための手段】
【０００６】
本発明はチャック袋、袋、包装容器の開口部内側近傍に紙やプラスチック等の可撓材料でできた山形タグ、図２１の裾部１Ａを固着、山部１Ｂは無接着にして開口部より折り出し入れ可動にし、山部を折り出した時山頂部が開口部より突出するようにした。タグの山部を折り出して内容物を移出すればチャック部や開口部を汚すことなく円滑に移出できる注ぎ口のパレットとなる。
【０００７】
本発明は裾部が山部と異なる柔軟材料の山形タグ、又、裾部が柔軟材料で出来た袋体の一部とした山形タグ等山形タグの山部と裾部の材質が異なったものがある。
【０００８】
本発明の山形タグの山部は図２１の１Ｂの他、内容物や目的によって山部が梯形になったもの、山部を折りだす時の引き出し用短片を山頂部に付けたもの、山部山頂部が切り込み入りの梯形になったもの、山部に簡易剥離のフィルムを貼ったもの、山部が弧形になったもの、又、山部が二段折になったものがある。
【０００９】
又、本発明の山形タグの裾部は図２１の１Ａの他、山部１Ｂの底辺と異長でも良く、形も長方形や弧形等でも良い。又、山部、裾部共高さはタグ山部が折り出し可動でパレットの役割を果たせるならば良い。以上のような構成による山形タグを注ぎ口とした「円滑移出入口付包装容器」である。
【発明の効果】
【００１０】
上記のように構成された山形タグの山部を折り出し内容物移出使用すれば（イ）チャック袋においては山形タグが注ぎ口のパレットとなりじょうごの役目をして開口部チャック部に内容物が触れることなく円滑に通過移出できるようになる。（ロ）移出時に傾けられた容器で集約された内容物はタグ山部を注ぎ口とすることにより散乱する事なく他器、他所にも正確に、円滑に必要量を移し替える事が平易になる。（ハ）内容物移出使用時、山形タグを折り出す事により開口部やチャック部を無接触通過できる為、開口部やチャック部の凹凸面に汚れが付かず、雄雌の咬み合わせに支障が出ず、チャックの密封機能の低下が防げる。（ニ）内容物が開口部、チャック部の無接触通過移出によって汚れが付かない為、再保存時に菌がつきにくく衛生的反復使用ができる。
【００１１】
（ホ）缶、瓶においては胴部と同径あるいは８割程度の固定された弧形、直線形の開口部からの内容物移出は必要量の注ぎ出しが困難であったが山形タグを開口部内側近傍に付ける事によって、移出時に傾けられた容器の一部に集約された内容物は、山部を注ぎ口のパレットとして容器からの内容物直接移出が円滑になる。山形タグ山部を折り込み、内容物再保存時は開口部等に汚れが付かない為、蓋と容器の間に隙間が出来ず、密封性が長期保持できる。
【００１２】
（へ）山形タグの山部、山頂部切り込み付きのタグは切り込み部が柔軟な注ぎ口ストッパーとなりサプリメントや薬、ビーズ玉、食品の内容物を他所や手に出してチェックしなくても袋の傾斜を２０度〜３０度のゆるやかにしてストッパーの所で内容物を止めて確認すれば必要量、必要種を取り出す事ができる。（ト）粘液体、粉物等山形タグに内容物が付着しやすく阻止したい場合は簡易剥離のフィルムを付ける。消費者購入後内容物使用時にフィルムを剥離すれば使用直前迄不汚管理ができる。（チ）平易使用の山形タグだがタグの山頂部にタグの引き出しつまみの短片を付けることにより、より平易にタグ山部を折り出すことができ内容物移出時にも影響はない。
【００１３】
（リ）新しいチャック袋（ストックバッグ）等の開口部内側近傍両面に山形タグを設け、カレーやシチューのルゥ、汁煮物をスプーンやお玉で入れ保存する時、山形タグを折り出して移入すれば開口部やチャック部を汚すことなく無接触通過できる為内容物移入後タグを折り込みチャックするだけで移入後の開口部の拭き取り、洗浄の手間がかからない。又、チャック部の凹凸面を無接触通過できるため咬み合わせにも支障が出ず密封機能保持が出来る。内容物再使用時は山形タグ、山部を折り出し使用すれば開口部、チャック部を汚すことなく使用できるため再保存時もチャック部の機能は損なわれず平易反復使用が長期可能となる。
【００１４】
（ヌ）新しいチャック袋の開口部内側チャック下近傍両面に二段折り曲げの山形タグを設け折り出し使用すれば山部下部は開口部内側を覆い、山部山頂部は外側に反り曲げれば開口部外側を覆うことができる。カレーやシチュウのルゥ、汁物の移入時、開口部、チャック部の内側の汚れ防止に加えて袋外側の汚れも阻止することができる。保存移入後の拭き取り、洗浄が更に平易になり、保存後の内容物反復使用も平易で密封機能長期保持可能となる。
【００１５】
（ル）上記のリやヌのように新しいチャック袋の開口部内側両面に山形タグを付けたストックバッグでは横保存の可能性が高いためタグの下にもチャック部を設ければ横に保存してもチャック部、タグ部が汚れにくい。チャック部を二重に設けることでコスト高となるが清潔反復使用が長期保持できるため再使用平易となり、実用性は高い。（ヲ）開口部内側近傍両面にタグを付けたチャック袋を繰り返し使用する場合、洗浄後タグを折り出して逆さまにすればタグがスタンドとなって乾かしやすい。
【００１６】
以上、チャック袋、袋、包装容器の開口部内側近傍に山形タグを付けることにより内容物は目的所への注ぎ出しが的確で円滑になり、開口部、チャック部の無接触通過により凹凸面にも汚れが付かず、チャック部の咬み合せにも支障が出ずチャック機能が長期保持でき、密封性、防湿性の低下も防げる。円滑移出入使用、平易使用、清潔反復使用ができることを特徴とした「円滑移出入口付包装容器」である。
【発明を実施するための最良の形態】
【００１７】
チャック袋、袋、包装容器の開口部内側近傍に紙やプラスチック等の可撓材料でできた山形タグの裾部を固着、山部は無接着にして開口部より折り出し入れ可動にし、タグの山部を折り出した時、山頂部が開口部より突出し、山部が注ぎ口のパレットとなって内容物が円滑に移出できる形態を作る。タグの山部、裾部の形態は内容物、袋、容器、目的によって形や素材が異なるが袋体、容器体に接着できる可撓材料とする。
【実施例】
【００１８】
図１は本発明のチャック袋の袋シート片面に設けた山形タグの山部を折り出したところ。山形タグ山部が開口部、チャック部を覆い、開口部、チャック部を内容物が無接触通過移出を出来る状態にした斜視図。
【００１９】
図２は本発明のチャック袋の袋シート両面に設けた山形タグの山部を折り出したところ。山形タグ山部が袋両面の開口部、チャック部を覆い開口部、チャック部を汚すことなく内容物を移入できる状態にした斜視図。
【００２０】
図３はチャック袋の開口部内側チャック下近傍に紙やプラスチック等の可撓材料でできた山形タグ１の裾部１Ａを固着、山部１Ｂは無接着として開口部より折り出し入れ可動にし、山頂部が開口部より突出するようにしたチャック袋内側、山形タグ山部１Ｂの折り込み状態。内容物再保存時はこのように山部を折り込む。
【００２１】
図４はチャック袋の開口部内側チャック下近傍に紙やプラスチック等の可撓材料でできた山形タグ１の裾部１Ａを固着、山部１Ｂは無接着として開口部より折り出し入れ可動にし、山頂部が開口部より突出するようにしたチャック袋内側、山形タグ山部１Ｂの折り出し状態。この状態で内容物移出を行う。
【００２２】
図５はチャック袋片側シートの開口部先端近傍に紙やプラスチック等の可撓材料でできた山形タグ１を上下反転し裾部１Ａを固着、山部１Ｂは無接着にする、山部にかからないよう裾部１Ａと袋シート固着部の上からチャック部をヒートシールする。生産工程において生産平易正確を尊重した場合、山形タグ裾部１Ａが袋体と同一幅１Ａでも良い。又、長方形他でも良い。開口部より山部１Ｂが折り出し入れ可動とし、山部を折り出した時、山頂部は開口部より突出するようにする。
【００２３】
図６はチャック袋の袋体と同、異素材でできた柔軟材料の短片５、に紙やプラスチックの可撓材料でできた山形タグ１の裾部１Ａを固着し山部１Ｂは無接着にする。短片と山形タグを合着したパーツ図７の短片部側をチャック袋の開口部内側近傍に全面貼着する。袋体と短片部が貼着された上からチャック部をヒートシールする。チャック部は山形タグ１にかからないよう、開口部より山部１Ｂが折り出し入れ可動となるよう、山部を折り出した時山頂部が開口部より突出するよう設ける。
【００２４】
図８はチャック袋の袋体と同、異素材でできた柔軟材料の短片５Ａ、に紙やプラスチックの可撓材料でできた山形タグ図２２を上下反転して貼着し、柔軟材料の短片５Ａの一部を山形タグの裾部とした山形タグ、図９。裾部１Ａである短片部を袋体開口部内側近傍に固着し、山部１Ｂは無接着にする。袋体と短片部が固着された上からチャック部をヒートシールする。チャック部はタグ山部１Ｂにかからないよう、開口部より山部１Ｂが折り出し入れ可動となるよう、山部を折り出した時山頂部が開口部より突出するよう設ける。
【００２５】
図１２は袋先端部山形シート図１０の先端に山形タグ図２２を固着し開口部が二重になるよう内折線部７より袋体上部を内側に折る。山形タグ図２２が開口部より折り出し入れ可動となるよう山頂部が開口部より突出するよう山形タグ山部１Ｂにかからないよう二重になった開口部上からチャック部をヒートシールして設ける。袋体の一部を山形タグの裾部とした。図１２。開口部が二重の袋厚になっているため開封が平易となることを特徴とする。
【００２６】
図１３は新しいチャック袋（ストックバッグ）で、チャック袋の開口部内側チャック下近傍に紙やプラスチック等の可撓材料でできた山形タグ１の裾部１Ａを固着、山部１Ｂは無接着として開口部より折り出し入れ可動にし、山頂部が開口部より突出するようにする。山部１Ｂを折り出して移出口、又は移入口とし、内容物移出入使用時は図１４のように山部１Ｂを折り出し、内容物保存時は図１３のように山部１Ｂを折り入れチャックをする。立て保存時はチャック部３のみでも良いが内容物を横保存時は開口部、山形タグの汚れを防ぐ為、山形タグ下にもチャック部３Ａを設けた。タグは片面及び両面に付けられる。従来、ストックバッグに内容物を入れる時は開口部、チャック部を外側に反り曲げて使用していたが袋体に傷がつきやすかった為、以上のように使用すれば傷もつかず内容物移入がスムースに出来る。
【００２７】
図１５、図１６は缶や瓶、プラスチックの固形包装容器の開口部内側近傍に紙やプラスチックの可撓材料でできた山形タグ１の裾部１Ａを固着、山部１Ｂは無接着にし、開口部より山部が折り出し入れ可動となり、山部が開口部より突出するよう設けた。缶、瓶においては胴部と同径あるいは８割程度の固定された弧形、直線形の開口部からの内容物移出は必要量の注ぎ出しが困難であったが山形タグを開口部内側近傍に付ける事によって、移出時に傾けられた容器の内容物は一部分に集約され、山形タグ山部を注ぎ口のパレットとして容器からの内容物直接移出が円滑になる。内容物使用後蓋をする場合開口部に汚れが付かないため胴部と蓋の密封性が長期保持できる。
【００２８】
図１７はチャック袋の開口部内側チャック下近傍に紙やプラスチック等の可撓材料でできた山形タグ図２８の裾部１Ａを固着、山部１Ｂ、１Ｂ´は無接着として開口部より折り出し入れ可動にし、内容物移入時は山部を折り出し山部下部１Ｂ´が袋内側のチャック部、開口部を覆い図１８、山部山頂部１Ｂは袋外側へ反り曲げ開口部外側を覆うようにした図１９。内容物移入後は山部１Ｂ、１Ｂ´を折り入れチャックをする。立て保存時はチャック部３のみでも良いが内容物を横保存時は山形タグの汚れを防ぐ為、山形タグ下にもチャック部３Ａを設けることが出来る。例―図１５。タグは片面及び両面に付けられる。
【００２９】
山形タグは内容物や目的によって袋体、包装容器の開口部内側近傍片面、両面に取り付けることができ、取り付け位置は包装容器の直線部、角部、弧部、袋両面併せ部に設けることができる図２０。又タグ裾部は長方形の他、台形、弧形等でも良く、裾部幅は生産工程に適したものでよい。タグの材質は紙やプラスチックの他、柔軟性を持っていればアルミ、ポリプロピレン等の可撓材料でも良い。
【００３０】
山形タグの山部の形状は内容物や目的によって図２１〜図２８のようにあり、山部の注ぎ口が幅広の梯形になったもの図２３、適量数、適用種を取り出しやすいよう山部が切り込み入りの梯形となり切り込み部が注ぎ口のストッパーとなったもの図２４、山形タグの山部を取り出しやすくしたつまみの短片、紐が付いたもの図２５、粘液体、粉物等、消費者の手に届くまで内容物が山形タグに付着することを阻止するため山部に簡易剥離のフィルムが付いたもの図２６、怪我をしないよう山部を弧形にしたもの図２７、ストックバグ等をより使いやすくする為山部が二段折り曲げになり、山部を折り出した時山部下部は開口部内側を覆い山部山頂部は袋外側に反り曲げて開口部近傍外側を覆うもの図２８、以上の形態でチャック袋、袋、包装容器に接着できる柔軟性を保持した紙やプラスチック、アルミ等の可撓材料でできたものが良い。
【００３１】
山形タグ１のサイズは高さ、幅共、内容物や目的によって異なるが生産上の理由で山部ＩＢの底辺と裾部１Ａの辺が同幅でなくても山部が開口部より折り出し入れ可動ならば良い。又、本発明の山形タグの裾部は図２１の１Ａの他、山部１Ｂの底辺と異長でも良く、形も長方形や弧形等でも良い。又、山部、裾部共高さはタグ山部が折り出し可動でパレットの役割を果たせるならば良い。以上のような構成による山形タグを注ぎ口とした「円滑移出入口付包装容器」である。
【図面の簡単な説明】
【００３２】
【図１】チャック袋の袋シート片面に設けた山形タグの山部を折り出したところ。山形タグ山部が開口部、チャック部を覆い、開口部、チャック部を内容物が無接触通過移出を出来る状態にした斜視図。
【図２】チャック袋の袋シート両面に設けた山形タグの山部を折り出したところ。山形タグ山部が袋両面の開口部、チャック部を覆い開口部、チャック部を汚すことなく内容物を移入できる状態にした斜視図。
【図３】チャック袋開口部内側チャック下近傍に山形タグ１の裾部１Ａを固着、山部１Ｂを無接着にした、山部１Ｂの折り込み状態、袋内側図。
【図４】チャック袋開口部内側チャック下近傍に山形タグ１の裾部１Ａを固着、山部１Ｂを無接着にした、山部１Ｂの折り出し状態、袋内側図。
【図５】チャック袋、袋体開口部先端内側近傍に、山形タグ裾部１Ａを固着、山部１Ｂを無接着にし、袋体と裾部１Ａの接着部上からチャック部をヒートシールした袋内側図。
【図６】短片５と山形タグ１の裾部１Ａを固着したパーツ図７の短片側を袋体に全面接着し袋体と短片の接着上からチャック部をヒートシールした山部１Ｂの折り込み状態、袋内側図。
【図７】短片５と山形タグ１の裾部１Ａを固着したパーツ。
【図８】図９の短片裾部を袋体に全面接着し袋体と短片の接着上からチャック部をヒートシールした。山形タグの裾部を柔軟材料の短片５Ａの一部とした。山部１Ｂの折り込み状態、袋内側図。
【図９】短片５Ａと山形タグ図２２を固着したパーツ。柔軟材料で出来た短片５Ａの一部を山形タグの裾部としたパーツ。
【図１０】袋体先端部山形２Ａの片面図。
【図１１】袋体先端部山形２Ａの片面に山形タグ図２２を固着した図。
【図１２】袋体先端部山形の片面に山形タグ図２２を固着し、袋開口部内折線７に沿って袋体先端部を内折し、二重になった袋開口部の上から山形タグが折り出し込み可動となるようチャック部をヒートシールした。折り込んだ袋体の一部が山形タグの裾部となった袋内側の図。
【図１３】チャック袋開口部内側チャック下近傍に山形タグ１の裾部１Ａを固着、山部１Ｂを無接着にしたチャック袋の山形タグの下にもチャック部３Ａを設けた山部１Ｂの折り込み状態、袋内側図。
【図１４】チャック袋開口部内側チャック下近傍に山形タグ１の裾部１Ａを固着、山部１Ｂを無接着にしたチャック袋の山形タグの下にもチャック部３Ａを設けた山部１Ｂの折り出し状態、袋内側図。
【図１５】缶、瓶の包装容器、開口部内側近傍に付けた山形タグ折り出し状態図。
【図１６】缶、瓶の包装容器、開口部内側近傍直線部に付けた山形タグ折り出し状態図。
【図１７】チャック袋開口部内側チャック下近傍に山形タグ１の裾部１Ａを固着、山部１Ｂ、１Ｂ´を無接着にしたチャック袋の山部１Ｂ、１Ｂ´の折り込み状態、袋内側図。
【図１８】チャック袋開口部内側チャック下近傍に山形タグ１の裾部１Ａを固着、山部１Ｂ、１Ｂ´を無接着にしたチャック袋の山部１Ｂ、１Ｂ´の折り出し状態、袋内側図。
【図１９】チャック袋開口部内側チャック下近傍に山形タグ１の裾部１Ａを固着、山部１Ｂ、１Ｂ´を無接着にしたチャック袋の山部１Ｂ、１Ｂ´の折り出し状態、袋外側図。
【図２０】山形タグ開口部内側チャック下近傍袋両面併せ部への設置図
【図２１】山形タグ。
【図２２】山形タグ山部のみ形。
【図２３】山形タグ山部梯形。
【図２４】山形タグ山頂部切り込みつき梯形。
【図２５】山形タグ山部山頂部引き出しよう短片付き。
【図２６】山形タグ山部簡易剥離フィルム付き。
【図２７】山形タグ山部弧形。
【図２８】山形タグ山部二段折。
【符号の説明】
【００３３】
１    山形タグ
１Ａ  山形タグ裾部
１Ｂ  山形タグ山部山頂部
１Ｂ´山形タグ山部下部
２    袋シート
２Ａ  袋先端部山形袋シート
３    チャック部
３Ａ  袋中間部位チャック部
４    開口部
５    袋シート同、異素材の可撓材短片長方形
５Ａ  袋シート同、異素材の可撓材短片五角形
６    缶、瓶、プラスチックの固形包装容器
７    袋開口部内折線部
【図１】
2008037499.tif 000003
【図２】
2008037499.tif 000004
【図３】
2008037499.tif 000005
【図４】
2008037499.tif 000006
【図５】
2008037499.tif 000007
【図６】
2008037499.tif 000008
【図７】
2008037499.tif 000009
【図８】
2008037499.tif 000010
【図９】
2008037499.tif 000011
【図１０】
2008037499.tif 000012
【図１１】
2008037499.tif 000013
【図１２】
2008037499.tif 000014
【図１３】
2008037499.tif 000015
【図１４】
2008037499.tif 000016
【図１５】
2008037499.tif 000017
【図１６】
2008037499.tif 000018
【図１７】
2008037499.tif 000019
【図１８】
2008037499.tif 000020
【図１９】
2008037499.tif 000021
【図２０】
2008037499.tif 000022
【図２１】
2008037499.tif 000023
【図２２】
2008037499.tif 000024
【図２３】
2008037499.tif 000025
【図２４】
2008037499.tif 000026
【図２５】
2008037499.tif 000027
【図２６】
2008037499.tif 000028
【図２７】
2008037499.tif 000029
【図２８】
2008037499.tif 000030